(57)【要約】      （修正有）【課題】汚染を他の部屋に拡散するのを抑制しつつ迅速に汚染を排気する換気システムを提供することを目的とする。【解決手段】換気システム５００は、室外空間と連通する給気口２０１、室外空間と連通する第一の排気口２０２、及び、室外空間と連通する第一の連通口２０３が形成されている第一の部屋Ｒ１と、室外空間と連通する第二の排気口２０４が形成され、前記第一の部屋Ｒ１と第二の連通口１１０を介して連通している第二の部屋Ｒ２と、を換気する換気システムであって、第一の空気質センサＳｉ１での測定値に基づき、第一の排気動作、第二の排気動作、第三の排気動作、第四の排気動作のいずれか２つ以上の排気動作間での遷移を実行するものである。【選択図】図４
2018151114.tif 000002
【特許請求の範囲】
【請求項１】
室外空間と連通する給気口、室外空間と連通する第一の排気口、及び、室外空間と連通する第一の連通口が形成されている第一の部屋と、
室外空間と連通する第二の排気口が形成され、前記第一の部屋と第二の連通口を介して連通している第二の部屋と、を換気する換気システムであって、
前記給気口に設置された給気装置と、
前記第一の排気口に設置された第一の排気装置と、
前記第一の連通口に設置された開閉装置と、
前記第二の排気口に設置された第二の排気装置と、
前記第一の部屋の空気質を測定する第一の空気質センサと、
前記給気装置、前記第一の排気装置、前記開閉装置、及び、前記第二の排気装置の動作を制御する制御装置と、を備え、
前記制御装置は、
前記給気装置及び前記第二の排気装置を駆動させ、前記第一の排気装置を停止し、前記開閉装置を閉制御し、前記第二の排気口からの排気を実行する第一の排気動作と、
前記給気装置及び前記第一の排気装置を駆動させ、前記第二の排気装置を停止し、前記開閉装置を閉制御し、前記第一の排気口からの排気を実行する第二の排気動作と、
前記給気装置を風量増加させて駆動させ、前記第一の排気装置を駆動させ、前記第二の排気装置を停止し、前記開閉装置を開制御し、前記第一の排気口及び前記第一の連通口からの排気を実行する第三の排気動作と、
前記給気装置を駆動させ、前記第一の排気装置を風量増加させて動作させ、前記第二の排気装置を停止し、前記開閉装置を開制御し、前記第一の排気口からの排気を実行する第四の排気動作と、を有し、
前記第一の空気質センサでの測定値に基づき、前記第一の排気動作、前記第二の排気動作、前記第三の排気動作、前記第四の排気動作のいずれか２つ以上の排気動作間での遷移を実行する
換気システム。
【請求項２】
前記制御装置が、
前記第一の空気質センサでの測定値が第一の閾値であるとき、前記第一の排気動作と前記第二の排気動作の遷移を指示し、
前記第一の空気質センサでの測定値が第二の閾値であるとき、前記第二の排気動作と前記第三の排気動作の遷移を指示し、
前記第一の空気質センサでの測定値が第三の閾値であるとき、前記第三の排気動作と前記第四の排気動作の遷移を指示するように構成されており、
前記第一の閾値＜前記第二の閾値＜前記第三の閾値として設定されている
請求項１に記載の換気システム。
【請求項３】
前記制御装置は、
前記第三の排気動作中には、排気量よりも給気量が多くなるように前記給気装置及び前記第一の排気装置を制御する
請求項１または２に記載の換気システム。
【請求項４】
前記制御装置は、
前記第四の排気動作中には、給気量よりも排気量が多くなるように前記給気装置及び前記第一の排気装置を制御する
請求項１または２に記載の換気システム。
【請求項５】
前記第二の部屋の空気質を測定する第二の空気質センサを備え、
前記制御装置は、
前記第一の空気質センサでの測定値が前記第二の空気質センサでの測定値よりも大きい場合には、前記第一の排気動作から前記第三の排気動作へと遷移させる
請求項１〜４のいずれか一項に記載の換気システム。
【請求項６】
外気の空気質を測定する外気用空気質センサを備え、
前記制御装置は、
前記第一の空気質センサでの測定値が前記外気用空気質センサでの測定値よりも大きい場合には、前記第三の排気動作又は前記第四の排気動作へと遷移させる
請求項１〜４のいずれか一項に記載の換気システム。
【請求項７】
前記第二の部屋の空気質を測定する第二の空気質センサと、
外気の空気質を測定する外気用空気質センサと、を備え、
前記制御装置は、
前記第一の空気質センサでの測定値が前記第二の空気質センサ及び前記外気用空気質センサでの測定値よりも大きく、前記第二の空気質センサでの測定値が前記外気用空気質センサでの測定値よりも大きい場合には、前記第三の排気動作に遷移させた後に、前記第一の排気動作に戻す
請求項１〜６のいずれか一項に記載の換気システム。
【請求項８】
前記第二の部屋の空気質を測定する第二の空気質センサと、
外気の空気質を測定する外気用空気質センサと、を備え、
前記制御装置は、
前記第一の空気質センサでの測定値が前記第二の空気質センサ及び前記外気用空気質センサでの測定値よりも大きく、前記外気用空気質センサでの測定値が前記第二の空気質センサでの測定値よりも大きい場合には、前記第三の排気動作、前記第二の排気動作に遷移させた後に、前記第一の排気動作に戻す
請求項１〜６のいずれか一項に記載の換気システム。
【請求項９】
前記第二の部屋の空気質を測定する第二の空気質センサと、
外気の空気質を測定する外気用空気質センサと、を備え、
前記制御装置は、
前記第二の空気質センサでの測定値が前記第一の空気質センサ及び前記外気用空気質センサでの測定値よりも大きく、前記第一の空気質センサでの測定値が前記外気用空気質センサでの測定値よりも大きい場合には、前記第三の排気動作に遷移させた後に、前記第一の排気動作に戻す
請求項１〜６のいずれか一項に記載の換気システム。
【請求項１０】
前記第二の部屋の空気質を測定する第二の空気質センサと、
外気の空気質を測定する外気用空気質センサと、を備え、
前記制御装置は、
前記外気用空気質センサでの測定値が前記第一の空気質センサ及び前記第二の空気質センサでの測定値よりも大きく、前記第一の空気質センサでの測定値が前記第二の空気質センサでの測定値よりも大きい場合には、前記第三の排気動作、前記第二の排気動作に遷移させた後に、前記第一の排気動作に戻す
請求項１〜６のいずれか一項に記載の換気システム。
【請求項１１】
前記第一の部屋と前記第二の部屋との気圧差を測定する差圧センサを備え、
前記制御装置は、
前記差圧センサにより前記第二の部屋の気圧よりも前記第一の部屋の気圧が大きい場合には、前記第一の排気装置を駆動させる
請求項１〜１０のいずれか一項に記載の換気システム。
【請求項１２】
前記制御装置は、
前記第二の排気装置を風量増加させて動作させ、前記開閉装置を開制御し、外気の取り込みを可能にしている
請求項１１に記載の換気システム。
【発明の詳細な説明】
【技術分野】
【０００１】
本発明は、室内の換気を行う換気システムに関するものである。
【背景技術】
【０００２】
室内の空気質を維持し、快適環境を維持するために、住宅には機械換気装置が設けられることがある。ここでいう機械換気装置とは、送風装置のほか、開閉ダンパを備える開口部、及び、換気にともなう排熱ロスを抑制するための熱交換装置を含み、住宅内と外気との換気のほか、住宅内の室間又は住宅内の廊下との空気の出入りを行う装置を含むものである。
【０００３】
このような機械換気装置を利用した換気システムは、住宅内と外気との換気を所定量行うように構成することが一般的であるが、それと同時に、ある部屋で発生した汚染が他の部屋に拡散するのを防止するように構成することが望ましい。また、汚染の拡散を抑制しつつ排気を促進するために各部屋の給排気の風量を制御する場合には、各部屋の扉に加わる圧力が過剰になって入退室のための扉開閉がしにくくなったり、急激に扉開閉してしまったりするのを防ぐことができるように構成することが望ましい。
【０００４】
例えば、特許文献１では、住宅内の各部屋に給排気手段と空気質センサを設け、汚染が多い部屋に給気し、汚染が少ない部屋から排気することによって、汚染が拡散しにくい換気システムが開示されている。
また、特許文献２では、汚染が多い部屋の排気量よりも、他の部屋への給気量を増やすことによって汚染の拡散を抑制するシステムが開示されている。
また、特許文献３では、大きな略同一空間のなかに存在する、人と汚染源との位置をそれぞれ特定し、人のいる位置から汚染源の位置へと向かう気流を形成することによって、汚染が人の位置に拡散するのを抑制するシステムが開示されている。
【先行技術文献】
【特許文献】
【０００５】
【特許文献１】特開２００５−２０１５９２号公報
【特許文献２】特開２０１６−１３８７０５号公報
【特許文献３】特開２０１６−７５４４３号公報
【発明の概要】
【発明が解決しようとする課題】
【０００６】
特許文献１に記載の技術では、各部屋の換気装置は給気または排気のいずれかに用いられ、汚染源の部屋から他の空間へと移行させて排気するために、汚染量が多い場合には迅速な空気清浄ができないという課題があった。
また、特許文献２に記載の技術では、汚染を排気している部屋が他の部屋よりも相対的に負圧になるために、扉開閉に支障が生じる場合があるという課題があった。
また、特許文献３に記載の技術では、室内や室間での気流や風向を考慮するも、室間の扉開閉力の対する効果については何ら考慮されていない。
【０００７】
本発明は、上記の課題を解決するためになされたものであり、汚染が他の部屋に拡散するのを抑制しつつ迅速に汚染を排出することを第一の目的とする。
また、本発明は、汚染が存在している部屋の扉開閉力の過剰な変動を抑制した換気システムを提供することを第二の目的とする。
【課題を解決するための手段】
【０００８】
本発明に係る換気システムは、室外空間と連通する給気口、室外空間と連通する第一の排気口、及び、室外空間と連通する第一の連通口が形成されている第一の部屋と、室外空間と連通する第二の排気口が形成され、前記第一の部屋と第二の連通口を介して連通している第二の部屋と、を換気する換気システムであって、前記給気口に設置された給気装置と、前記第一の排気口に設置された第一の排気装置と、前記第一の連通口に設置された開閉装置と、前記第二の排気口に設置された第二の排気装置と、前記第一の部屋の空気質を測定する第一の空気質センサと、前記給気装置、前記第一の排気装置、前記開閉装置、及び、前記第二の排気装置の動作を制御する制御装置と、を備え、前記制御装置は、前記給気装置及び前記第二の排気装置を駆動させ、前記第一の排気装置を停止し、前記開閉装置を閉制御し、前記第二の排気口からの排気を実行する第一の排気動作と、前記給気装置及び前記第一の排気装置を駆動させ、前記第二の排気装置を停止し、前記開閉装置を閉制御し、前記第一の排気口からの排気を実行する第二の排気動作と、前記給気装置を風量増加させて駆動させ、前記第一の排気装置を駆動させ、前記第二の排気装置を停止し、前記開閉装置を開制御し、前記第一の排気口及び前記第一の連通口からの排気を実行する第三の排気動作と、前記給気装置を駆動させ、前記第一の排気装置を風量増加させて動作させ、前記第二の排気装置を停止し、前記開閉装置を開制御し、前記第一の排気口からの排気を実行する第四の排気動作と、を有し、前記第一の空気質センサでの測定値に基づき、前記第一の排気動作、前記第二の排気動作、前記第三の排気動作、前記第四の排気動作のいずれか２つ以上の排気動作間での遷移を実行するものである。
【発明の効果】
【０００９】
本発明に係る換気システムは、第一の空気質センサでの測定値に基づき、第一の排気動作、第二の排気動作、第三の排気動作、第四の排気動作のいずれか２つ以上の排気動作間での遷移を実行するので、汚染が他の部屋に拡散するのを抑制しつつ汚染を迅速に排出することが可能になる。
【図面の簡単な説明】
【００１０】
【図１】集中換気及び個別空調を実行する本発明に適用可能なシステムの一例を説明するための模式図である。
【図２】集中換気空調を実行する本発明に適用可能なシステムの一例を説明するための模式図である。
【図３】図１又は図２で示したシステムを組み込むことを想定した、複数の部屋を備えた共同住宅の間取りの一例を示した模式図である。
【図４】本発明の実施の形態１に係る換気システムの具体的な構成の一例を模式的に示し模式図である。
【図５】本発明の実施の形態１に係る換気システムの個別給排方式の制御動作例を概略的に示す概略動作説明図である。
【図６】本発明の実施の形態２に係る換気システムの集中給排併用方式の制御動作例を概略的に示す概略動作説明図である。
【発明を実施するための形態】
【００１１】
以下に、本発明に係る換気システムの実施の形態を図面に基づいて詳細に説明する。なお、図１を含め、以下の図面では各構成部材の大きさの関係が実際のものとは異なる場合がある。また、図１を含め、以下の図面において、同一の符号を付したものは、同一又はこれに相当するものであり、このことは明細書の全文において共通することとする。さらに、明細書全文に表わされている構成要素の形態は、あくまでも例示であって、これらの記載に限定されるものではない。
【００１２】
実施の形態１．
図１は、集中換気及び個別空調を実行する本発明に適用可能なシステムの一例を説明するための模式図である。図１に基づいて、集中換気及び個別空調を実行するシステムについて説明する。図１では、複数の部屋（ここでは、第一の部屋Ｒ１と第二の部屋Ｒ２）の換気及び空調に伴う空気の流れを矢印で図示している。
【００１３】
図１では、空調を個別空調として、第一の部屋Ｒ１を冷暖房する場合を想定したシステム構成を図示している。つまり、空気調和装置１００が第一の部屋Ｒ１に設置され、空気調和装置１００により第一の部屋Ｒ１を個別空調できる構成になっている。
また、図１では、集中換気として、第一の部屋Ｒ１及び第二の部屋Ｒ２を空気が循環する場合を想定したシステム構成を図示している。つまり、第一の部屋Ｒ１と第二の部屋Ｒ２との間に連通口１１０を設け、第一の部屋Ｒ１と第二の部屋Ｒ２とに空気が連通できる構成になっている。
【００１４】
空調は、第一の部屋Ｒ１の室内空気が空気調和装置１００に吸い込まれ（矢印Ｂ１）、空気調和装置１００で加温又は冷却器された後に空調空気として第一の部屋Ｒ１に吹き出されることで実行される（矢印Ｂ２）。
換気は、室外空気が給気口２０を介して第一の部屋Ｒ１に給気され（矢印Ａ１）、連通口１１０を通じて第二の部屋Ｒ２に移行され（矢印Ａ２）、第二の部屋Ｒ２から排気されることで実行される（矢印Ａ３）。
【００１５】
また、給気（矢印Ａ１）及び排気（矢印Ａ３）は、熱交換素子１５０を通じて通風することによって、空気調和装置１００が冷暖房した空気の熱がそのまま排気されて熱ロスとなってしまうのを防ぐシステムとなっている。図１では、熱交換素子１５０が、第一の部屋Ｒ１及び第二の部屋Ｒ２の外側に設けられている場合を例に示している。例えば、熱交換素子１５０と第一の部屋Ｒ１及び第二の部屋Ｒ２とは、ダクト等を介して接続されている。なお、熱交換素子１５０は、全熱交換器などで構成するとよい。
【００１６】
図２は、集中換気空調を実行する本発明に適用可能なシステムの一例を説明するための模式図である。図２に基づいて、集中換気空調を実行するシステムについて説明する。図２では、複数の部屋（ここでは、第一の部屋Ｒ１と第二の部屋Ｒ２）の換気及び空調に伴う空気の流れを矢印で図示している。
【００１７】
図２では、集中換気空調として、第一の部屋Ｒ１及び第二の部屋Ｒ２を空気が循環する場合を想定したシステム構成を図示している。つまり、空気調和装置１００が、第一の部屋Ｒ１及び第二の部屋Ｒ２の外側であって、熱交換素子１５０の給気下流側に設置され、換気及び空調を集中して実行できる構成になっている。図２では、空気調和装置１００及び熱交換素子１５０が、第一の部屋Ｒ１及び第二の部屋Ｒ２の外側に設けられている場合を例に示している。例えば、空気調和装置１００及び熱交換素子１５０と、第一の部屋Ｒ１及び第二の部屋Ｒ２とは、ダクト等を介して接続されている。なお、熱交換素子１５０は、全熱交換器などで構成するとよい。
【００１８】
図２に示すように、室外空気が、空気調和装置１００で冷暖房してから給気口２０を介して給気として第一の部屋Ｒ１に供給され（矢印ＡＢ１）、連通口１１０を通じて第二の部屋Ｒ２に移行され（矢印ＡＢ２）、第二の部屋Ｒ２から排気として排出されることで実行される（矢印ＡＢ３）。なお、排気は、第二の部屋Ｒ２から排出された際に一部が再び空気調和装置１００に戻る構成となっている。
なお、図２では図示していないが、分岐バルブを排気側に設けることによって、必要な換気風量と空調風量とが得られるように調整可能になっている。
【００１９】
図１及び図２に示すいずれの形態においても、ユーザーが設定した気温と、必要な換気量と、が得られるように図示省略の換気用送風機と空気調和装置１００が動作するように制御される。
【００２０】
図３は、図１又は図２で示したシステムを組み込むことを想定した、複数の部屋を備えた共同住宅１０００の間取りの一例を示した模式図である。図３は、共同住宅１０００を俯瞰した状態を模式的に図示したものである。
【００２１】
図３に示すように、共同住宅１０００は、ベッドＢ、キッチンＫ、トイレＴが設けられた個室４部屋を有している。図３では、個室４部屋を、紙面左側から、個室Ｒ１−１、個室Ｒ１−２、個室Ｒ１−３、個室Ｒ１−４として図示している。また、トイレＴには、開閉可能なドアＴＤが設置されている。
【００２２】
図３に示すように、共同住宅１０００は、共通スペースであるサニタリールームＳＲと、同じく共通スペースであるダイニングルームＤＲと、を有している。サニタリールームＳＲには、洗濯機Ｓ等が設置される洗面所ＳＲ１と浴槽Ｂａ等が設置される浴室ＳＲ２とが壁Ｗにより仕切られて設けられている。また、洗面所ＳＲ１と浴室ＳＲ２とは壁Ｗに設けられたドアＢＤを介して連通している。さらに、ダイニングルームＤＲは、リビングＬｉとダイニングＤｉとを有している。
【００２３】
図３に示すように、共同住宅１０００は、紙面上側に位置している個室４部屋と、紙面下側に位置しているサニタリールームＳＲ及びダイニングルームＤＲと、が廊下Ｒ２−１を介して繋がっている。つまり、個室４部屋のそれぞれには開閉可能なドアＤが廊下Ｒ２−１に面して設置され、サニタリールームＳＲ及びダイニングルームＤＲのそれぞれにも開閉可能なドアＤが廊下Ｒ２−１に面して設置されている。
また、共同住宅１０００は、廊下Ｒ２−１と繋がっている共通の玄関Ｇを１つ備えている。
【００２４】
ここで、図１及び図２で示した第一の部屋Ｒ１は、たとえば図３に示す個室Ｒ１−１であり、第二の部屋Ｒ２は、たとえば廊下Ｒ２−１である。
したがって、第一の部屋Ｒ１である個室Ｒ１−１には、図３では図示していないが図１又は図２に示すシステムのための設備が設けられ、第二の部屋Ｒ２である廊下Ｒ２−１と個室Ｒ１−１との間のドアＤの隙間が第一の部屋Ｒ１と第二の部屋Ｒ２との連通口１１０となる。
【００２５】
図４は、本発明の実施の形態１に係る換気システム５００の具体的な構成の一例を模式的に示し模式図である。図４に基づいて、第一の部屋Ｒ１及び第二の部屋Ｒ２に設置される換気システム５００について説明する。なお、図４には空気調和装置１００を図示していないが、個別空調の場合には図１に図示したように、集中空調の場合には図２に図示したように空気調和装置１００は設置される。そのため、人の生活エリアである第一の部屋Ｒ１及び第二の部屋Ｒ２には、空気調和装置１００によって空調された空気が流通されるように形成されている。
【００２６】
［第一の部屋Ｒ１］
第一の部屋Ｒ１には、第一の部屋Ｒ１及び第二の部屋Ｒ２の室内空気を、清浄化された空気に換気する空清装置２００を備える。また、第一の部屋Ｒ１には、空清装置２００により清浄化された空気を給気（ＳＡ）として取り込むｄ０１と、給気口２０１から取り込まれた空気を第一の排気（ＥＡ１）として第一の部屋Ｒ１の外部に排気する第一の排気口２０２と、が室外空間と連通するように形成されている。給気口２０１及び第一の排気口２０２が開放されると室外空間と第一の部屋Ｒ１とが連通することになる。
【００２７】
なお、給気口２０１には給気装置２０１ａが設置されている。給気装置２０１ａは、送風機を備え、後述する制御装置５０からの指令に基づいて給気口２０１を開放して空気を取り込んだり、給気口２０１を閉塞して空気を遮断したりするようになっている。
また、第一の排気口２０２には第一の排気装置２０２ａが設置されている。第一の排気装置２０２ａは、送風機を備え、後述する制御装置５０からの指令に基づいて第一の排気口２０２を開放して空気を排出したり、第一の排気口２０２を閉塞して空気を遮断したりするようになっている。
【００２８】
第一の部屋Ｒ１には、第一の連通口２０３が室外空間と連通するように形成されている。第一の連通口２０３には、開度が調整可能な開閉装置Ｖ１が設置されている。開閉装置Ｖ１は、たとえばバルブ又はダンパーなどで構成されており、後述する制御装置５０からの指令に基づいて開度が調整されるようになっている。なお、開閉装置Ｖ１の開度には、全閉と全開とが含まれるものとする。開閉装置Ｖ１を開状態に制御すると、第一の連通口２０３が開放され、室外空間と第一の部屋Ｒ１とが連通することになる。また、開閉装置Ｖ１を閉状態に制御すると、第一の連通口２０３が閉塞され、室外空間と第一の部屋Ｒ１とが遮断することになる。
【００２９】
第一の部屋Ｒ１には、第一の部屋Ｒ１の空気の状態、つまり第一の部屋Ｒ１の空気質を測定する第一の空気質センサＳｉ１を設ける。第一の空気質センサＳｉ１で測定された情報は、データとして後述する制御装置５０に送られる。なお、第一の空気質センサＳｉ１は、第一の部屋Ｒ１の空気に含まれる汚染源を測定できればどのようなものを用いてもよい。
【００３０】
［第二の部屋Ｒ２］
第二の部屋Ｒ２には、第一の部屋Ｒ１から取り込まれた空気を第二の排気（ＥＡ２）として第二の部屋Ｒ２の外部に排気する第二の排気口２０４が、室外空間と連通するように形成されている。第二の排気口２０４には第二の排気装置２０４ａが設置されている。第二の排気装置２０４ａは、送風機を備え、後述する制御装置５０からの指令に基づいて第二の排気口２０４を開放して空気を排出したり、第二の排気口２０４を閉塞して空気を遮断したりするようになっている。
【００３１】
第二の部屋Ｒ２には、第二の部屋Ｒ２の空気の状態、つまり第二の部屋Ｒ２の空気質を測定する第二の空気質センサＳｉ２を設ける。第二の空気質センサＳｉ２で測定された情報は、データとして後述する制御装置５０に送られる。なお、第二の空気質センサＳｉ２は、第二の部屋Ｒ２の空気に含まれる汚染源を測定できればどのようなものを用いてもよい。
【００３２】
［その他の構成］
第一の部屋Ｒ１と第二の部屋Ｒ２との間には、双方を行き来可能にするドアＤが設けられている。このドアＤには可動性を確保するための隙間があり、これを第二の連通口１１０とする。つまり、第二の連通口１１０が、図１及び図２で示した連通口１１０として機能する。
【００３３】
また、第一の部屋Ｒ１と第二の部屋Ｒ２との間には、第一の部屋Ｒ１と第二の部屋Ｒ２との気圧差を測定する差圧センサＰ１２を設ける。差圧センサＰ１２で測定された情報は、データとして後述する制御装置５０に送られる。
さらに、第一の部屋Ｒ１及び第二の部屋Ｒ２の外部には、外気の状態、つまり外気の空気質を測定する外気用空気質センサＳｏを設ける。外気用空気質センサＳｏで測定された情報は、データとして後述する制御装置５０に送られる。なお、外気用空気質センサＳｏは、外気に含まれる汚染源を測定できればどのようなものを用いてもよい。
【００３４】
換気システム５００は、たとえば第二の部屋Ｒ２に制御装置５０を備えている。制御装置５０は、各種センサ、給気装置２０１ａ、第一の排気装置２０２ａ、第二の排気装置２０４ａ、及び、第一の連通口２０３に設置されている開閉装置Ｖ１と有線または無線で接続され、それらとデータを授受してそれらの制御を行うものである。たとえば、制御装置５０は、各種センサ又は給気装置２０１ａの動作状態に基づいて、第一の排気装置２０２ａ、第二の排気装置２０４ａ及び開閉装置Ｖ１の動作が制御できるようになっている。
【００３５】
なお、図４では、制御装置５０を第二の部屋Ｒ２に設置した状態を例に図示しているが、設置場所を特に限定するものではない。たとえば、空清装置２００に制御装置５０を設けてもよいし、制御装置に接続されている図示省略のマイコンに制御システムを組み込むようにしてもよい。また、マイコンは、例えばＨＥＭＳ（ホームエネルギーマネジメントシステム）と呼ばれるエネルギーマネジメントシステムを兼ねたり、スマートフォン又はタブレット端末のような個人用情報端末を用いてもよい。
【００３６】
次に、換気システム５００の動作制御について説明する。換気システム５００の動作制御には、排気の動作方法によって、個別給排方式と集中給排併用方式とに大きく２つに大別される。図５は、換気システム５００の個別給排方式の制御動作例を概略的に示す概略動作説明図である。図５に基づいて、個別給排方式の制御動作について説明する。なお、図５に示す符号は、図４で示した符号に対応している。また、図５では、便宜上、センサ類、給気装置２０１ａ、第一の排気装置２０２ａ、及び、第二の排気装置２０４ａの図示を省略している。
【００３７】
まず、通常給排の動作制御（制御Ａ）について説明する。なお、空清装置２００、給気装置２０１ａ、第一の排気装置２０２ａ、第二の排気装置２０４ａ、及び、開閉装置Ｖ１は、制御装置５０により駆動が制御される。
【００３８】
。
制御Ａ（第一の排気動作）では、給気装置２０１ａ及び第二の排気装置２０４ａが駆動、第一の排気装置２０２ａが停止、開閉装置Ｖ１が閉制御される。
【００３９】
室外空気は、空清装置２００を通じて、給気装置２０１ａによって給気（ＳＡ）として、第一の部屋Ｒ１に導入される。第一の部屋Ｒ１に給気（ＳＡ）として導入された空気は、第二の連通口１１０を介して第一の部屋Ｒ１から第二の部屋Ｒ２へと移行する。第二の部屋Ｒ２に移行した空気は、第二の排気装置２０４ａによって排気（ＥＡ２）として室外へと排出される。通常給排における空気の流れは、図１及び図２において説明したのと同一である。なお、第一の排気装置２０２ａは停止、開閉装置Ｖ１は閉制御されている。
【００４０】
ここで、第一の部屋Ｒ１において汚染が発生した場合を考える。第一の部屋Ｒ１において汚染が発生すると、第二の連通口１１０を通じて、汚染がほかの部屋（ここでは第二の部屋Ｒ２）に拡散してしまう。そのため、第一の部屋Ｒ１よりも第二の部屋Ｒ２の方が清浄な場合、第二の部屋Ｒ２の汚染が増加（拡大）することになってしまう。したがって、このような状態を避ける必要がある。
【００４１】
なお、第一の部屋Ｒ１と第二の部屋Ｒ２との間の汚染の拡散は、給気量と排気量とに依存する。給気には、給気口２０１から取り込まれる給気（ＳＡ）の他に、第一の部屋Ｒ１及び第二の部屋Ｒ２に侵入する空気が含まれる。排気には、第一の排気口２０２から排出される排気（ＥＡ１）の他に、第一の部屋Ｒ１及び第二の部屋Ｒ２から排気される空気が含まれる。
【００４２】
そこで、換気システム５００では、第一の空気質センサＳｉ１で測定された第一の部屋Ｒ１の空気質（汚染濃度）が、予め設定された汚染レベル１（第一の閾値）に達したことをトリガーとして、制御Ａから制御Ｂに移行する。
制御Ｂ（第二の排気動作）では、給気装置２０１ａ及び第一の排気装置２０２ａが駆動、第二の排気装置２０４ａが停止、開閉装置Ｖ１が閉制御される。つまり、制御Ｂでは、第二の排気装置２０４ａを停止して第二の排気口２０４からの排気（ＥＡ２）を遮断し、第一の排気装置２０２ａを駆動して第一の排気口２０２からの排気（ＥＡ１）を実行する。こうすることにより、第一の部屋Ｒ１で発生した汚染の第二の部屋Ｒ２への拡散を抑制できる。
【００４３】
さらに、換気システム５００では、第一の空気質センサＳｉ１で測定された第一の部屋Ｒ１の空気質（汚染濃度）が、汚染レベル１を超えて、予め設定された汚染レベル２（第二の閾値）に達した場合、第一の部屋Ｒ１の空気質を早急に改善する必要があると判断する。
なお、第一の部屋Ｒ１の空気質（汚染濃度）が汚染レベル１を超えた場合において、汚染レベル１よりも高い汚染レベルを予め複数設定しており、到達した汚染レベルに応じて、第一の部屋Ｒ１の空気質改善を判断してもよい。
【００４４】
第一の部屋Ｒ１の空気質が汚染レベル２に達した場合、給気口２０１からの給気（ＳＡ）を増加させるか、または、第一の排気口２０２からの排気（ＥＡ１）を増加させるかによって、第一の部屋Ｒ１の空気質を早急に改善することができる。
【００４５】
しかしながら、ＳＡ＞ＥＡ１の場合は、図５の陰陽圧利用モードの上段に示すように、第一の部屋Ｒ１の空気は、第一の排気装置２０２ａの風量設定値以上に漏出してしまう可能性がある。あるいは、第一の部屋Ｒ１の空気は、第二の連通口１１０から第二の部屋Ｒ２へと空気が流出し、第二の排気装置２０４ａが停止しているものの、第二の排気口２０４の開口隙間から室外へと漏出してしまう可能性がある。
このような空気の漏出は、本来設定したものではないために空気抵抗が大きく、第一の部屋Ｒ１が陽圧化する。すなわち、第一の部屋Ｒ１から屋外、及び、第一の部屋Ｒ１から第二の部屋Ｒ２へと向かう気圧が発生することになる。
【００４６】
この圧力は、第一の部屋Ｒ１と第二の部屋Ｒ２とを連通するドアＤに圧力をもたらし、ドア開閉力を変化させてしまう。すなわち、第一の部屋Ｒ１に向かって内開きのドアＤである場合（図３に示すような場合）はドアＤが開けにくくなり、第二の部屋Ｒ２に向かって外開きのドアＤである場合はドアＤが急に開きやすくなる。また、ドアＤが左右にスライドする引き戸式である場合も、スライドレール部分とサッシとの接触が増加することになり、ドアＤがスライド移動しにくく、つまり開閉しにくくなる。
【００４７】
また、ＳＡ＜ＥＡ１の場合、図５の陰陽圧利用モードの下段に示すように、給気装置２０１ａの風量設定値以上に室外空気が第一の部屋Ｒ１に漏れ込んで出してしまう可能性がある。あるいは、第二の排気装置２０４ａが停止しているものの、第二の排気口２０４の開口隙間から第二の部屋Ｒ２へと室外空気が漏れ込んでしまい、第二の連通口１１０を介して第一の部屋Ｒ１に侵入する可能性がある。
このような場合には、第一の部屋Ｒ１が陰圧化し、第二の部屋Ｒ２から第一の部屋Ｒ１へと向かう気圧が発生することになり、ドア開閉力が変化してしまうことになる。
【００４８】
そこで、換気システム５００では、第一の空気質センサＳｉ１で測定された第一の部屋Ｒ１の空気質（汚染濃度）が、汚染レベル１を超えて、予め設定された汚染レベル２（第二の閾値）に達した場合には、制御Ｃを実行する。また、換気システム５００では、第一の空気質センサＳｉ１で測定された第一の部屋Ｒ１の空気質（汚染濃度）が、汚染レベル２を超えて、予め設定された汚染レベル３（第三の閾値）に達した場合には、制御Ｄを実行する。
【００４９】
制御Ｃ（第三の排気動作）では、給気装置２０１ａが風量増加させて駆動、第一の排気装置２０２ａが駆動、第二の排気装置２０４ａが停止、開閉装置Ｖ１が開制御される。つまり、制御Ｃでは、給気装置２０１ａによる給気口２０１からの給気（ＳＡ）を増加させるとともに、開閉装置Ｖ１の開度を制御して第一の連通口２０３を開放する。
【００５０】
制御Ｄ（第四の排気動作）では、給気装置２０１ａが駆動、第一の排気装置２０２ａが風量増加させて駆動、第二の排気装置２０４ａが停止、開閉装置Ｖ１が開制御される。つまり、制御Ｄでは、第一の排気装置２０２ａによる第一の排気口２０２からの排気（ＥＡ１）を増加させるとともに、開閉装置Ｖ１の開度を制御して第一の連通口２０３を開放する。
【００５１】
ＳＡ＞ＥＡ１の場合には制御Ｃを実行する。制御Ｃでは、開閉装置Ｖ１を開けることによって給気（ＳＡ）が汚染とともに第一の排気口２０２及び第一の連通口２０３を通じて排気されることになる。そのため、給気（ＳＡ）と排気とのバランスがとれて、ドア圧は増加しない。また、第一の部屋Ｒ１の汚染が、第二の連通口１１０を通じて第二の部屋Ｒ２へと拡散することを抑制することもできる。
【００５２】
ＳＡ＜ＥＡ１の場合には制御Ｄを実行する。制御Ｄでは、開閉装置Ｖ１を開けることによって外気が第一の部屋Ｒ１に侵入することになる。そのため、増量した排気（ＥＡ１）と、給気（ＳＡ）及び第一の連通口２０３からの侵入空気と、のバランスがとれて、ドア圧は増加しない。また、第一の部屋Ｒ１の汚染が、第二の連通口１１０を通じて第二の部屋Ｒ２へと拡散することを抑制することもできる。
【００５３】
ここで、制御Ｄでは、室外空気が空清装置２００を通過することなく第一の部屋Ｒ１に侵入するので、外気が清浄である場合に用いるべきである。
また、制御Ｃでは、制御Ａ及び制御Ｂよりも給気（ＳＡ）の風量を高める必要があるが、例えば図２に示したように給気（ＳＡ）が空調負荷に応じて制御されていたり、給気装置２０１ａが備えている送風装置のコスト及びサイズに制約があったりして、給気風量増加が困難な場合が考えられる。給気風量増加が困難な場合には、排気風量増加を実行する制御Ｄを行う。
【００５４】
すなわち、換気システム５００では、設置されている機器の性能制約に応じて、制御Ｃ、制御Ｄのいずれかを選択することができるようになっている。
したがって、換気システム５００によれば、制御Ａ、制御Ｂ、制御Ｃまたは制御Ｄのいずれかを、第一の部屋Ｒ１の第一の空気質センサＳｉ１に応じて選択することによって、汚染レベルが高くなった場合にも、急速な空気清浄を行うことができ、他の部屋への汚染拡散を抑制でき、さらにドア開閉力への影響を少なくすることが可能になる。
【００５５】
また、機器の制約が少なく、給気（ＳＡ）及び排気（ＥＡ１）の風量選択の自由度が高い場合であって、第一の部屋Ｒ１、第二の部屋Ｒ２及び室外空間の汚染レベルに応じた給排制御が可能な場合においては、次のような制御を行うことができる。
【００５６】
以下には、通常の空気質レベルにおいて制御Ａを実施中に、第一の空気質センサＳｉ１が変化した際に、３つの空気質センサの測定値の相対的な大小によって、遷移する制御と、その後に空気質が改善した際に、制御Ａに戻す際の遷移を示している。
なお、「Ｓｉ１」が第一の空気質センサＳｉ１での測定値を、「Ｓｉ２」が第二の空気質センサＳｉ２での測定値を、「Ｓｏ」が外気用空気質センサＳｏでの測定値と、をそれぞれ表している。
【００５７】
Ｓｉ１＞Ｓｉ２＞Ｓｏ  ：制御Ｃ→汚染レベル低下に応じ開閉装置Ｖ１を閉鎖→制御Ａ
Ｓｉ１＞Ｓｏ  ＞Ｓｉ２：制御Ｄ→制御Ｂ→制御Ａ
Ｓｉ２＞Ｓｉ１＞Ｓｏ  ：制御Ｃ→制御Ａ
Ｓｉ２＞Ｓｏ＞Ｓｉ１  ：制御Ａ（第一の部屋Ｒ１が清浄なため運転維持）
Ｓｏ  ＞Ｓｉ１＞Ｓｉ２：制御Ｃ→制御Ｂ→制御Ａ
Ｓｏ  ＞Ｓｉ２＞Ｓｉ１：制御Ａ（第一の部屋Ｒ１が清浄なため運転維持）
【００５８】
なお、Ｓｉ１＞Ｓｉ２、Ｓｏの場合には、陰陽圧利用モード（制御Ｅ）を実行する。この場合、ドア開閉力の影響はあるものの、汚染の拡散抑制と急速空清を優先させる制御を実行する。すなわち、汚染レベルが高くなった際に、給気または排気量を増加させることによって、急速な空気清浄を行う。外気が汚染されている場合は、空清装置２００を介した給気（ＳＡ）を優先し、外気が清浄な場合は、開閉装置Ｖ１を介した給気と給気（ＳＡ）とを利用して換気を行う。
【００５９】
ただし、給気（ＳＡ）と排気（ＥＡ１）とを増加させる単純な制御では、これらを実行する送風機の動力の電力増加が大きく、また空調負荷も大きくなるため（図５に示すＮＧ制御例）、換気システム５００では、制御Ａ〜制御Ｅのいずれかを実行するようになっている。
【００６０】
以上のように、実施の形態１に係る換気システム５００は、室外空間と連通する給気口２０１、室外空間と連通する第一の排気口２０２、及び、室外空間と連通する第一の連通口２０３が形成されている第一の部屋Ｒ１と、室外空間と連通する第二の排気口２０４が形成され、第一の部屋Ｒ１と第二の連通口１１０を介して連通している第二の部屋Ｒ２と、を換気するものであって、給気口２０１に設置された給気装置２０１ａと、第一の排気口２０２に設置された第一の排気装置２０２ａと、第一の連通口２０３に設置された開閉装置Ｖ１と、第二の排気口２０４に設置された第二の排気装置２０４ａと、第一の部屋Ｒ１の空気質を測定する第一の空気質センサＳｉ１と、給気装置２０１ａ、第一の排気装置２０２ａ、開閉装置Ｖ１、及び、第二の排気装置２０４ａの動作を制御する制御装置５０と、を備え、制御装置５０は、給気装置２０１ａ及び第二の排気装置２０４ａを駆動させ、第一の排気装置２０２ａを停止し、開閉装置Ｖ１を閉制御し、第二の排気口２０４からの排気ＥＡ２を実行する第一の排気動作と、給気装置２０１ａ及び第一の排気装置２０２ａを駆動させ、第二の排気装置２０４ａを停止し、開閉装置Ｖ１を閉制御し、第一の排気口２０２からの排気ＥＡ１を実行する第二の排気動作と、給気装置２０１ａを風量増加させて駆動させ、第一の排気装置２０２ａを駆動させ、第二の排気装置２０４ａを停止し、開閉装置Ｖ１を開制御し、第一の排気口２０２及び第一の連通口２０３からの排気ＥＡ１＋Ｖ１を実行する第三の排気動作と、給気装置２０１ａを駆動させ、第一の排気装置２０２ａを風量増加させて動作させ、第二の排気装置２０４ａを停止し、開閉装置Ｖ１を開制御し、第一の排気口２０２からの排気ＥＡ１を実行する第四の排気動作と、を有し、第一の空気質センサＳｉ１での測定値に基づき、第一の排気動作、第二の排気動作、第三の排気動作、第四の排気動作のいずれか２つ以上の排気動作間での遷移を実行するものである。
【００６１】
したがって、換気システム５００によれば、第一の空気質センサＳｉ１での測定値に基づき、第一の排気動作（制御Ａ）、第二の排気動作（制御Ｂ）、第三の排気動作（制御Ｃ）、第四の排気動作（制御Ｄ）のいずれか２つ以上の排気動作間での遷移を実行するので、汚染を他の部屋に拡散するのを抑制しつつ汚染を迅速に排気することが可能になる。これは、近年増加している高気密住宅、扉開閉にハンディキャップをもつ人間が居住している住宅、又は、医療施設等において特に効能を有する。扉開閉にハンディキャップをもつ人間としては、たとえば、腕力が小さい者、高齢者、幼児及び傷病者などが含まれる。
【００６２】
また、換気システム５００では、制御装置５０が、第一の空気質センサＳｉ１での測定値が第一の閾値であるとき、第一の排気動作と第二の排気動作の遷移を指示し、第一の空気質センサＳｉ１での測定値が第二の閾値であるとき、第二の排気動作と第三の排気動作の遷移を指示し、第一の空気質センサＳｉ１での測定値が第三の閾値であるとき、第三の排気動作と第四の排気動作の遷移を指示し、第一の閾値＜第二の閾値＜第三の閾値として設定されているものである。
そのため、換気システム５００によれば、第一の空気質センサＳｉ１で測定された汚染レベルに応じて給気及び排気を調整することができるので、汚染を他の部屋に拡散するのを抑制しつつ汚染を迅速に排気するということがより顕著に実現可能になる。
【００６３】
また、換気システム５００では、制御装置５０は、第三の排気動作中には、排気量よりも給気量が多くなるように給気装置２０１ａ及び第一の排気装置２０２ａを制御するものである。
そのため、換気システム５００によれば、給気と排気とのバランスがとれて、ドア圧が増加しないことになり、汚染が存在している部屋の扉開閉力が過剰に変動するのを抑制できる。
【００６４】
また、換気システム５００では、制御装置５０は、第四の排気動作中には、給気量よりも排気量が多くなるように給気装置２０１ａ及び第一の排気装置２０２ａを制御するようになっている。
そのため、換気システム５００によれば、給気と排気とのバランスがとれて、ドア圧が増加しないことになり、汚染が存在している部屋の扉開閉力が過剰に変動するのを抑制できる。
【００６５】
また、換気システム５００では、第二の部屋の空気質を測定する第二の空気質センサＳｉ２を備え、制御装置５０は、第一の空気質センサＳｉ１での測定値が第二の空気質センサＳｉ２での測定値よりも大きい場合には、第一の排気動作から第三の排気動作へと遷移させるようになっている。
そのため、換気システム５００によれば、第二の部屋Ｒ２の汚染レベルを測定することで、各部屋の汚染レベルに応じた排気動作を実行することが可能になり、汚染排気の確実性を向上できる。
【００６６】
また、換気システム５００では、外気の空気質を測定する外気用空気質センサＳｏを備え、制御装置５０は、第一の空気質センサＳｉ１での測定値が外気用空気質センサＳｏでの測定値よりも大きい場合には、第三の排気動作又は第四の排気動作へと遷移させるようになっている。
そのため、換気システム５００によれば、外気の汚染レベルを測定することで、部屋及び外気の汚染レベルに応じた排気動作を実行することが可能になり、汚染排気の確実性を向上できる。
【００６７】
また、換気システム５００では、第二の部屋の空気質を測定する第二の空気質センサと、外気の空気質を測定する外気用空気質センサＳｏと、を備え、制御装置５０は、第一の空気質センサＳｉ１での測定値が第二の空気質センサＳｉ２及び外気用空気質センサＳｏでの測定値よりも大きく、第二の空気質センサＳｉ２での測定値が外気用空気質センサＳｏでの測定値よりも大きい場合には、第三の排気動作に遷移させた後に、第一の排気動作に戻すようになっている。
そのため、換気システム５００によれば、第二の部屋Ｒ２及び外気の汚染レベルを測定することで、各部屋及び外気の汚染レベルに応じた排気動作を実行することが可能になり、汚染排気の確実性を向上できる。
【００６８】
また、換気システム５００では、第二の部屋の空気質を測定する第二の空気質センサＳｉ２と、外気の空気質を測定する外気用空気質センサＳｏと、を備え、制御装置５０は、第一の空気質センサＳｉ１での測定値が第二の空気質センサＳｉ２及び外気用空気質センサＳｏでの測定値よりも大きく、外気用空気質センサＳｏでの測定値が第二の空気質センサＳｉ２での測定値よりも大きい場合には、第三の排気動作、第二の排気動作に遷移させた後に、第一の排気動作に戻すようになっている。
そのため、換気システム５００によれば、第二の部屋Ｒ２及び外気の汚染レベルを測定することで、各部屋及び外気の汚染レベルに応じた排気動作を実行することが可能になり、汚染排気の確実性を向上できる。
【００６９】
また、換気システム５００では、第二の部屋の空気質を測定する第二の空気質センサＳｉ２と、外気の空気質を測定する外気用空気質センサＳｏと、を備え、制御装置５０は、第二の空気質センサＳｉ２での測定値が第一の空気質センサＳｉ１及び外気用空気質センサＳｏでの測定値よりも大きく、第一の空気質センサＳｉ１での測定値が外気用空気質センサＳｏでの測定値よりも大きい場合には、第三の排気動作に遷移させた後に、第一の排気動作に戻すようになっている。
そのため、換気システム５００によれば、第二の部屋Ｒ２及び外気の汚染レベルを測定することで、各部屋及び外気の汚染レベルに応じた排気動作を実行することが可能になり、汚染排気の確実性を向上できる。
【００７０】
また、換気システム５００では、第二の部屋の空気質を測定する第二の空気質センサＳｉ２と、外気の空気質を測定する外気用空気質センサＳｏと、を備え、制御装置５０は、外気用空気質センサＳｏでの測定値が第一の空気質センサＳｉ１及び第二の空気質センサＳｉ２での測定値よりも大きく、第一の空気質センサＳｉ１での測定値が第二の空気質センサＳｉ２での測定値よりも大きい場合には、第三の排気動作、第二の排気動作に遷移させた後に、第一の排気動作に戻すようになっている。
そのため、換気システム５００によれば、第二の部屋Ｒ２及び外気の汚染レベルを測定することで、各部屋及び外気の汚染レベルに応じた排気動作を実行することが可能になり、汚染排気の確実性を向上できる。
【００７１】
実施の形態２．
図６は、本発明の実施の形態２に係る換気システム５００の集中給排併用方式の制御動作例を概略的に示す概略動作説明図である。図６に基づいて、集中給排併用方式の制御動作について説明する。
なお、実施の形態２では実施の形態１との相違点を中心に説明し、実施の形態１と同一部分には、同一符号を付して説明を省略するものとする。また、図６に示す符号は、図４で示した符号に対応している。また、図６では、便宜上、センサ類、給気装置２０１ａ、第一の排気装置２０２ａ、及び、第二の排気装置２０４ａの図示を省略している。
【００７２】
実施の形態１では、換気システム５００の個別給排方式の制御動作について説明したが、実施の形態２では、換気システム５００の集中給排併用方式の制御動作について説明する。集中給排併用方式は、個別給排方式とは異なり、第二の排気装置２０４ａの動作を停止させないようにしたものである。
【００７３】
通常給排の動作制御（制御Ａ）については、実施の形態１で説明した通りである。
ここで、第一の部屋Ｒ１において汚染が発生した場合を考える。換気システム５００では、第一の空気質センサＳｉ１で測定された第一の部屋Ｒ１の空気質（汚染濃度）が、予め設定された汚染レベル１に達したことをトリガーとして、制御Ａから制御Ｘに移行する。
【００７４】
制御Ｘでは、第二の排気装置２０４ａを動作させて第二の排気口２０４から排気（ＥＡ２）を行う。このとき、第二の部屋Ｒ２は外気に対して陰圧化している。したがって、第一の部屋Ｒ１の汚染が、第二の連通口１１０を通じて第二の部屋Ｒ２に拡散するのを抑制する必要がある。そのため、差圧センサＰ１２での測定値に応じて、第一の部屋Ｒ１と第二の部屋Ｒ２の圧力差が無いように給排気を調整する。具体的には、差圧センサＰ１２での測定値により第二の部屋Ｒ２の気圧よりも第一の部屋Ｒ１の気圧が大きい場合には、第一の排気装置２０２ａを制御して、排気（ＥＡ１）の量によって給排気の量を調整する。
【００７５】
さらに、換気システム５００では、第一の空気質センサＳｉ１で測定された第一の部屋Ｒ１の空気質（汚染濃度）が、汚染レベル１を超えて、予め設定された汚染レベル２に達した場合、第一の部屋Ｒ１の空気質を早急に改善する必要があると判断する。
【００７６】
第一の部屋Ｒ１の空気質が汚染レベル２に達した場合、給気口２０１からの給気（ＳＡ）を増加させるとともに、第二の排気口２０４からの排気（ＥＡ２）を増加させることによって、第一の部屋Ｒ１の空気質を早急に改善することができる（図６に示すＮＧ制御例）。しかしながら、両者ともに増加させるのは、実施の形態１でのＮＧ制御例と同様に避けるべきである。
【００７７】
そこで、換気システム５００では、第一の空気質センサＳｉ１で測定された第一の部屋Ｒ１の空気質（汚染濃度）が、予め設定された汚染レベル２に達した場合には、制御Ｙを実行する。
制御Ｙでは、給気装置２０１ａによる給気口２０１からの給気（ＳＡ）を増加させるとともに、開閉装置Ｖ１の開度を制御して第一の連通口２０３を開放する。こうすることによって、第一の部屋Ｒ１及び第二の部屋Ｒ２の圧力差をなくしつつ急速に空気清浄を行うことが可能になる。
【００７８】
このとき第二の排気装置２０４ａを停止させると、実施の形態１で説明した制御Ｃと同様になるが、第二の排気装置２０４ａを停止させずに、弱めるにとどめ、開閉装置Ｖ１の開度を制御することで、第一の部屋Ｒ１の汚染が、第二の連通口１１０を通じて第二の部屋Ｒ２へと拡散することを抑制することもできる。
【００７９】
また、外気の汚染レベルが予め設定されている基準値よりも低い場合には、外気が汚染されていないと判断し、制御Ｚを実行する。制御Ｚでは、第二の排気口２０４からの排気（ＥＡ２）を増加させ、第一の排気口２０２からの排気（ＥＡ１）を行いつつ開閉装置Ｖ１を開けて外気を多く取り込むようにしている。
図６に示す比較制御例では、単純に第二の排気口２０４からの排気（ＥＡ２）の補償のために、第一の連通口２０３からの給気が、第二の連通口１１０を通じて第二の部屋Ｒ２に流れる場合を例に示しているが、これではドア圧は増加してしまい、第二の部屋Ｒ２に汚染が拡散してしまう。
【００８０】
それに対し、制御Ｚでは、給気口２０１から空気を取り込むとともに、第一の排気口２０２から排気（ＥＡ１）するようにしている。こうすることによって、第一の部屋Ｒ１の汚染が、ドア圧は増加させずに、第二の連通口１１０を通じて第二の部屋Ｒ２へと拡散することを抑制することもできる。
【００８１】
以上のように、実施の形態２に係る換気システム５００では、実施の形態１に係る換気システム５００の構成に加え、第一の部屋Ｒ１と第二の部屋Ｒ２との気圧差を測定する差圧センサＰ１２を備え、制御装置５０は、差圧センサＰ１２により第二の部屋Ｒ２の気圧よりも第一の部屋Ｒ１の気圧が大きい場合には、第一の排気装置２０２ａを駆動させるようになっている。
そのため、実施の形態２に係る換気システム５００によれば、実施の形態１に係る換気システム５００が奏する効果を有するとともに、差圧センサＰ１２での測定値に応じて、第一の部屋Ｒ１と第二の部屋Ｒ２の圧力差が無いように給気及び排気を調整でき、ドア圧の増加を抑制できる。
【００８２】
なお、本発明の具体例を２つの実施の形態に分けて説明したが、本発明は、広義の精神と範囲を逸脱することなく、様々な実施形態及び変形が可能である。また、上述した実施形態は、本発明を説明するためのものであり、本発明の範囲を限定するものではない。つまり、本発明の範囲は、実施形態ではなく、特許請求の範囲によって示される。そして、特許請求の範囲内及びそれと同等の発明の意義の範囲内で施される様々な変形が、本発明の範囲内とみなされる。
【符号の説明】
【００８３】
２０  給気口、５０  制御装置、１００  空気調和装置、１１０  第二の連通口（連通口）、１５０  熱交換素子、２００  空清装置、２０１  給気口、２０１ａ  給気装置、２０２  第一の排気口、２０２ａ  第一の排気装置、２０３  第一の連通口、２０４  第二の排気口、２０４ａ  第二の排気装置、５００  換気システム、１０００  共同住宅、Ｂ  ベッド、ＢＤ  ドア、Ｂａ  浴槽、Ｄ  ドア、Ｄｉ  ダイニング、ＤＲ  ダイニングルーム、Ｇ  玄関、Ｋ  キッチン、Ｌｉ  リビング、Ｐ１２  差圧センサ、Ｒ１  第一の部屋、Ｒ１−１  個室、Ｒ１−２  個室、Ｒ１−３  個室、Ｒ１−４  個室、Ｒ２  第二の部屋、Ｒ２−１  廊下、Ｓ  洗濯機、ＳＲ  サニタリールーム、ＳＲ１  洗面所、ＳＲ２  浴室、Ｓｉ１  第一の空気質センサ、Ｓｉ２  第二の空気質センサ、Ｓｏ  外気用空気質センサ、Ｔ  トイレ、ＴＤ  ドア、Ｖ１  開閉装置、Ｗ  壁。
【図１】
2018151114.tif 000003
【図２】
2018151114.tif 000004
【図３】
2018151114.tif 000005
【図４】
2018151114.tif 000006
【図５】
2018151114.tif 000007
【図６】
2018151114.tif 000008